(57)【要約】【課題】框材の見付け寸法を小さくして框材に囲まれて形成される採光部分の面積を増加させて、採光性能等にすぐれた建具を提供する。【解決手段】  開口部に設置される枠体と、框組みしてなり枠体に対して開閉自在に支持される障子と、枠体に取り付けられて障子を構成する框材の見付け面に当接して枠体と障子との間の気密を行う気密材を備え、障子を構成する少なくともいずれかの框材は、パネル間口を構成する、底壁部と底壁部の一方側より内周方向に延設される側壁部と底壁部の他方側に設けられる押縁支持部とからなる框本体部と、框本体部の底壁部の他方側に対して押縁支持部に支持されて取り付けられる押縁とからなり、押縁支持部は、押縁の見付け面が当接するとともに、底壁部が接続される見付け壁を有し、枠体に取り付けられる気密材は、押縁支持部の見付け壁の底壁部が接続される部位の見付け面に当接する。【選択図】図４
2017101431.tif 000002
【特許請求の範囲】
【請求項１】
開口部に設置される枠体と、框組みしてなり枠体に対して開閉自在に支持される障子と、枠体に取り付けられて障子を構成する框材の見付け面に当接して枠体と障子との間の気密を行う気密材を備え、
障子を構成する少なくともいずれかの框材は、パネル間口を構成する、底壁部と底壁部の一方側より内周方向に延設される側壁部と底壁部の他方側に設けられる押縁支持部とからなる框本体部と、框本体部の底壁部の他方側に対して押縁支持部に支持されて取り付けられる押縁とからなり、
押縁支持部は、押縁の見付け面が当接するとともに、底壁部が接続される見付け壁を有し、
枠体に取り付けられる気密材は、押縁支持部の見付け壁の底壁部が接続される部位の見付け面に当接する
ことを特徴とする建具。
【発明の詳細な説明】
【技術分野】
【０００１】
開口部に設けられる枠体に対して、障子を開閉自在に支持してなる建具に関する。
【背景技術】
【０００２】
従来、建物開口部に設けられる建具、特に、開き窓においては、枠体に内周方向に延設する気密材保持部を形成し、障子の閉鎖時に障子の見付け面に当接する気密材を配置することで、障子の閉鎖時における枠体と障子との間の気密を行うことがなされている。
【先行技術文献】
【特許文献】
【０００３】
【特許文献１】特開２０１３−１４４８７２号
【発明の概要】
【発明が解決しようとする課題】
【０００４】
近年、建物内部により多くの外光を入れることにより室内空間を明るくし、また、冬期の暖房費の節約等が研究されており、建物開口部に設置される建具においても、枠体や框部分の見付け寸法をできるだけ小さくしてガラス等の採光部分の面積を大きくした建具が求められている。
【０００５】
本発明は、上記の事情を鑑みたものであり、枠体及び框材により構成される建具の框材の見付け寸法を小さくすることにより、框材に囲まれて形成される採光部分の面積を増加させて、採光性能等にすぐれた建具を提供することを目的とする。
【課題を解決するための手段】
【０００６】
本発明は、開口部に設置される枠体と、框組みしてなり枠体に対して開閉自在に支持される障子と、枠体に取り付けられて障子を構成する框材の見付け面に当接して枠体と障子との間の気密を行う気密材を備え、障子を構成する少なくともいずれかの框材は、パネル間口を構成する、底壁部と底壁部の一方側より内周方向に延設される側壁部と底壁部の他方側に設けられる押縁支持部とからなる框本体部と、框本体部の底壁部の他方側に対して押縁支持部に支持されて取り付けられる押縁とからなり、押縁支持部は、押縁の見付け面が当接するとともに、底壁部が接続される見付け壁を有し、枠体に取り付けられる気密材は、押縁支持部の見付け壁の底壁部が接続される部位の見付け面に当接することを特徴とする。
【発明の効果】
【０００７】
本発明によれば、障子を構成する框材の見付け寸法を小さくすることができ、框材により囲まれるガラスパネル等の採光部分の面積を増加させることができる。
【図面の簡単な説明】
【０００８】
【図１】本発明の実施形態に係る建具の内観図である。
【図２】本発明の実施形態に係る建具の縦断面図である。
【図３】本発明の実施形態に係る建具の横断面図である。
【図４】（ａ）は本発明の実施形態に係る建具の左縦枠及び左縦框の横断面図であり、（ｂ）はその一部拡大横断面図である。
【発明を実施するための形態】
【０００９】
（縦すべり出し窓の構成）
本発明を、実施形態として縦すべり出し窓を用いて説明する。
本発明の実施形態に係る建具は、図１に示すように、建物の開口部に配置され上枠１１，下枠１２及び左、右縦枠１３，１４を四周に組んでなる枠体１に対して、上框２１，下框２２及び左、右縦框２３，２４を四周に組んで内周にガラス等パネルを装着してなる障子２を、左縦框２３を吊元側框として右縦框２４が外方に開放する縦すべり出し窓として構成されている。
【００１０】
枠体１を構成する上枠１１は、図２に示すように、建物開口部に固定され枠体１の内周面を形成する上枠本体部１１１と、上枠本体部１１１の室内側下面より下方に垂下される室内側垂下壁部１１２と、上枠本体部１１１の室外側下面より下方に延設される上気密材取付部１１３とから構成されており、室内側垂下壁部１１２の室外側面の下方位置には障子２の上框２１の室内側見付面に当接する気密材ｓ１が取り付けられるとともに、上気密材取付部１１３には、障子２の上框２１の室外側上端に当接する気密材ｓ２が下方に向けて取り付けられている。
下枠１２は、建物開口部に固定され枠体１の内周面を形成するとともに室外側下方に中空の水切り部を有する下枠本体部１２１と、下枠本体部１２１の室内側に立ち上がる中空構造の立上壁１２２とから構成されており、立上壁１２２の室外側面の上方位置には障子２の下框２２の室内側見付面に当接する気密材ｓ１が取り付けられている。
【００１１】
枠体１を構成する左、右縦枠１３、１４は、図３に示すように、略同一形状をなしており、それぞれ建物開口部に固定され枠体１の内周面を形成する左右の縦枠本体部１３１，１４１と、縦枠本体部１３１，１４１の内周面より内周方向に延設される左、右内壁部１３２，１４２とから構成されており、左、右内壁部１３２，１４２の室外側面内周端には障子２の左、右縦框２３，２４の室内側見付面に当接する気密材ｓ１，ｓ１が取り付けられている。
【００１２】
障子２を構成する上框２１は、図２に示すように、障子２の上方外周面を形成する中空部の室外側内周面よりガラス間口を構成する室外側間口壁２１１ａが垂下されてなる上框本体部２１１と、上框本体部２１１の外周面の室外側端より上方に延設される上框室外壁部２１２と、上框本体部２１１の室内側内周面に取り付けられてガラス間口を形成する押縁２１３とから構成されている。
障子２を構成する下框２２は、障子２の下方外周面を形成する中空部の内周面にガラス間口が形成されてなる下框本体部２２１と、下框本体部２２１の外周面の室外側端より下方に垂下される下框外壁部２２２とから構成されている。
【００１３】
障子２を構成する左、右縦框２３、２４は、図３に示すように、略同一形状をなしており、それぞれ障子２のガラス間口の外周面と室外面を形成する左、右縦框本体部２３１，２４１と、左右縦框本体部の室内面に取り付けられる押縁２３２，２４２とから構成されており、左、右縦框本体部２３１，２４１の室外側が外周方向に延設されて外周側側壁部２３１ｃ，２４１ｃが形成され、外周側側壁部２３１ｃ，２４１ｃの外周端部には、外周方向にヒレ片を有する気密材ｓ３が取り付けられている。
そして、オペレータハンドル等を操作することで、周知の開閉機構によって左縦框を吊元側として右縦框が外方へ開放するように、枠体１に対して障子２が縦すべり出し開閉自在に支持されている。
また、左縦枠１３と左縦框２３とには、障子２を引き寄せる引寄手段５が配置されている。
【００１４】
（框材の見付け寸法を小さくするための構成）
本実施形態のような縦すべり出し窓においては、框材の見付け寸法を小さくして採光面積を大きくするための構成が、左、右縦框及び左、右縦枠に採用されている。
以下、左、右縦框及び左、右縦枠の構成について、左縦框２３及び左縦枠１３を用いて詳細に説明する。なお、図４においては、障子を引き寄せるための引寄手段等は記載を省略している。
【００１５】
図４に示すように、本実施形態の縦すべり出し窓の左縦框２３は、左縦框本体部２３１と押縁２３２とから構成されており、左縦框本体部２３１は、左縦框２３の外周面及びガラス等パネルを装着するパネル間口２３ａの底面を構成する略板状の底壁部２３１ａと、底壁部２３１ａの一方側である室外側より内周方向に延設される内周側側壁部２３１ｂと、底壁部２３１ａの一方側である室外側より外周方向に延設される外周側側壁部２３１ｃと、底壁部２３１ａの他方側である室内側に設けられる押縁支持部２３１ｄとから構成されている。
押縁２３２は、図４（ｂ）に示すように、パネル間口２３ａの室内側壁を構成する押縁本体部２３２ａと、押縁本体部２３２ａの一側端が室外側に屈曲して形成される押縁取付部２３２ｂとからなり、断面略Ｌ字状に形成されている。
【００１６】
左縦框本体部２３１を構成する底壁部２３１ａは、幅方向略中央に沿って浅い凹部を形成するなど強度を向上させるための構成が採用されており、中空構造を用いずに板状部材により形成することでより見付け幅の小さい左縦框２３を形成している。
そして、底壁部２３１ａの室内側に設けられる押縁支持部２３１ｄは、底壁部２３１ａの内周面室内側寄りに形成される室内側に向かって開口する溝状の保持手段２３１ｅと、底壁部２３１ａの室内側端部より内周方向に向かって形成される見付け壁２３１ｆとから構成されており、左縦框本体部２３１にガラス等パネルを配置した状態において、押縁２３２の押縁取付部２３２ｂの先端を溝状の保持手段２３１ｅに対して挿入するとともに、押縁２３２の押縁本体部２３２ａの室内側面を見付け壁２３１ｆの室外側面に当接させることにより押縁２３２を取り付けることができ、その後、押縁２３２とガラス等パネルとの間にバックアップ材やシール材を挿入することにより障子が組み立てられる。
【００１７】
このとき、押縁２３２の押縁本体部２３２ａの室内側面が当接する見付け壁２３１ｆは、ガラス等パネルの取り付け状態が維持できるように押縁２３２の室内側への移動を阻止するに十分な強度があればよく、見付け壁２３１ｆの見込み方向の厚みを増加させるなどして強度を向上させることで、見付け壁２３１ｆをできるだけ小さくして、建具の開口面積を大きくすることが、見付け寸法を小さくする上では好ましい。
見付け壁２３１ｆの室内側面は、左縦框２３の室内側に形成される見付け面として形成されるとともに、見付け方向に小さく形成された見付け壁２３１ｆの室外側には、左縦框本体部２３１を構成する底壁部２３１ａが接続される。
【００１８】
一方、本実施形態の縦すべり出し窓の左縦枠１３は、左縦枠１３の内周面を形成する縦枠本体部１３１と、縦枠本体部１３１より内周方向に延設されて形成される左内壁部１３２とからなり、左内壁部１３２の室外側面には気密材ｓ１が配置されている。
左内壁部１３２の見付け寸法は、左縦枠１３の内周面と左縦框２３の外周面との間に、引寄手段等の必要な部材を配置することができる範囲で短く設定されるとともに、その内周端の室外側面に配置された気密材ｓ１を左縦框２３の室内側に押縁２３２を取り付けるために形成される見付け壁２３１ｆの見付け面に当接させることにより、枠体と障子との間の気密を行っている。見付け壁２３１ｆの室外側には、左縦框本体部２３１を構成する底壁部２３１ａが配置されており、気密材ｓ１は、少なくとも見付け壁２３１ｆの室外側に底壁部２３１ｅが接続されている部位の見付け面に当接させることで、気密材ｓ１が当接する力は底壁部２３１ｅで受けることができ、気密が確実なものとなる
【００１９】
以上のように、本実施形態においては、框材に中空構造を採用せずに、断面Ｕ字状のパネル間口を主体とする框材を採用するとともに、框材を構成する押縁の取付構造を利用して枠体と障子との気密構造を構築しているので、枠体に取り付けた気密材を当接させるための部位を框材に別に設ける必要がなく、気密構造により枠体と障子とが見付け方向に重複することを避けることができ、框材と枠体の見付け寸法を増大させることがなく、大きな採光面積を形成することができる。
また、押縁の室内側見付け面に当接させる見付け壁２３１ｆの室外側に左縦框本体部の底壁部を接続しており、枠体に取り付けた気密材を見付け壁の室外側に底壁部が接続している部位に当接することで、気密を確実にするとともに、見付け壁を小さく形成しても押縁の保持に対して影響を及ぼすことを防止でき、採光面積の増大をはかれる。
【００２０】
なお、本発明の建具の窓種は、縦すべり出し窓に限定されるものではなく、押縁を用いてガラス等パネルを装着しているものであれば、いかなる窓種であってもよい。
【符号の説明】
【００２１】
１        ：枠体
１１      ：上枠
１２      ：下枠
１３      ：左縦枠
１３１    ：縦枠本体部
１３２    ：左内壁部
１４      ：右縦枠
２        ：障子
２１      ：上框
２２      ：下框
２３      ：左縦框
２３１    ：左縦框本体部
２３１ａ  ：底壁部
２３１ｂ  ：内周側側壁部
２３１ｃ  ：外周側側壁部
２３１ｄ  ：押縁支持部
２３１ｅ  ：保持手段
２３１ｆ  ：見付け壁
２３２    ：押縁
２３２ａ  ：押縁本体部
２３２ｂ  ：押縁取付部
２４      ：右縦框
２４１    ：右縦框本体部
２４１ｃ  ：外周側側壁部
２４２    ：押縁
【図１】
2017101431.tif 000003
【図２】
2017101431.tif 000004
【図３】
2017101431.tif 000005
【図４】
2017101431.tif 000006